(57)【要約】      （修正有）【課題】優れた環境保護性を備え、コストを削減する農作物及び植物繊維を用いた再生紙を提供する。【解決手段】農作物及び植物繊維を用いた再生紙は、農作物植物繊維体の糸状繊維部材またはかす状繊維部材を、植物粘着繊維体の膠質液結合部材の懸濁剤を用いて結合する。農作物植物繊維体の糸状繊維部材またはかす状繊維部材は、植物粘着繊維体の膠質液結合部材の粘着によって相互に粘着結合する。【選択図】図１
0003170124.tif 000002
【実用新案登録請求の範囲】
【請求項１】
複数の糸状繊維部材を備える農作物植物繊維体と、
農作物植物繊維体の複数の糸状繊維部材と相互結合する複数の膠質液結合部材を備える植物粘着繊維体とを含む農作物及び植物繊維を用いた再生紙。
【請求項２】
前記複数の糸状繊維部材は、サトウキビの絞りかす、マコモダケ殼、稲、バナナの細切（バナナの切り株）、茶がら、トウモロコシの葉、オレンジの皮、ピーナッツの殻、パッションフルーツの皮、小麦、コーヒーのかす、玉ねぎの皮より採取することを特徴とする請求項１に記載の農作物及び植物繊維を用いた再生紙。
【請求項３】
前記膠質液結合部材は、オクラ、アロエ、パキラより採取することを特徴とする請求項１に記載の農作物及び植物繊維を用いた再生紙。
【請求項４】
複数のかす状繊維部材を備える農作物植物繊維体と、
農作物植物繊維体の複数のかす状繊維部材と相互結合する複数の膠質液結合部材を備える植物粘着繊維体とを含む農作物及び植物繊維を用いた再生紙。
【請求項５】
前記複数のかす状繊維部材は、サトウキビの絞りかす、マコモダケ殼、稲、バナナの細切（バナナの切り株）、茶がら、トウモロコシの葉、オレンジの皮、ピーナッツの殻、パッションフルーツの皮、小麦、コーヒーのかす、玉ねぎの皮より採取することを特徴とする請求項４に記載の農作物及び植物繊維を用いた再生紙。
【請求項６】
前記膠質液結合部材は、オクラ、アロエ、パキラより採取することを特徴とする請求項４に記載の農作物及び植物繊維を用いた再生紙。
【請求項７】
複数の糸状繊維部材と複数のかす状繊維部材とを備える農作物植物繊維体と、
農作物植物繊維体の複数の糸状繊維部材と複数のかす状繊維部材とを相互結合する複数の膠質液結合部材を備える植物粘着繊維体とを含む農作物及び植物繊維を用いた再生紙。
【請求項８】
前記複数の糸状繊維部材と複数のかす状繊維部材は、サトウキビの絞りかす、マコモダケ殼、稲、バナナの細切（バナナの切り株）、茶がら、トウモロコシの葉、オレンジの皮、ピーナッツの殻、パッションフルーツの皮、小麦、コーヒーのかす、玉ねぎの皮より採取することを特徴とする請求項７に記載の農作物及び植物繊維を用いた再生紙。
【請求項９】
前記膠質液結合部材は、オクラ、アロエ、パキラより採取することを特徴とする請求項７に記載の農作物及び植物繊維を用いた再生紙。
【考案の詳細な説明】
【技術分野】
【０００１】
本考案は、農作物及び植物繊維を用いた再生紙に関し、特に、用紙に属する技術分野に応用するものである。
【背景技術】
【０００２】
現在、一般に知られる製紙構造は、伐採した木材を用いた植物パルプ繊維を製造し、パルプ繊維に対し除水加工を行なった後のパルプ繊維をすき枠に交差させて置き、一枚の薄紙形状とし、乾燥後に、すき枠からおろし、繊維が交差する製紙の完成品を作るが、それには、次のような問題点が存在する。
１環境保護性の欠落：木材を原料としてパルプ繊維を作り、パルプ繊維を加工して用紙を製造するため、木材の取得には、森林での大量伐採が必要不可欠である。よって、環境保護性に欠けたものとなる。
２コスト高：木材を原料として植物パルプ繊維を作り、パルプ繊維を加工して用紙を製造するため、木材の取得には、森林での大量伐採が必要不可欠である。伐採には多大な人力も必要であり、伐採した樹木は、多大な人力を経て後続処理が行なわれる。よって、コスト高となる。
【考案の概要】
【考案が解決しようとする課題】
【０００３】
本考案は、上述した用紙の環境保護性の欠落とコスト高の問題点に鑑み、農作物及び植物繊維を用いた再生紙を提供することを主な目的とする。
【課題を解決するための手段】
【０００４】
本考案の農作物及び植物繊維を用いた再生紙は、農作物植物繊維体１０と植物粘着繊維体２０とからなる。該農作物植物繊維体１０には、複数の糸状繊維部材１１及び／または複数のかす状繊維部材１２を含み、該農作物植物繊維体１０の糸状繊維部材１１またはかす状繊維部材１２は、サトウキビの絞りかす、マコモダケの殼、稲、バナナの細切（バナナの切り株）、茶がら、トウモロコシの葉、オレンジの皮、ピーナッツの殻、パッションフルーツの皮、小麦、コーヒーのかす、玉ねぎの皮等より採取する。植物粘着繊維体２０には複数の膠質液結合部材２１を含み、尚且つ、植物粘着繊維体２０の膠質液結合部材２１は、オクラ、アロエ、パキラ等より採取し、該農作物植物繊維体１０の複数の糸状繊維部材１１と複数のかす状繊維部材１２は、植物粘着繊維体２０の膠質液結合部材２１に結合し、植物粘着繊維体２０の膠質液結合部材２１を懸濁剤とするため、農作物植物繊維体１０の糸状繊維部材１１またはかす状繊維部材１２を相互に粘着結合する。よって、前記の製紙は、天然植物を原料とし、大量の樹木伐採を必要とせず、経済価値のない農作物植物繊維を再利用して、優れた環境保護性とコスト削減効果を達成する。
【考案の効果】
【０００５】
本考案の農作物及び植物繊維を用いた再生紙の効果は、次のとおりである。
（１）優れた環境保護性：製紙の原料は、天然植物から採取するもので、大量の樹木伐採を必要とせず、経済的価値のない農作物植物繊維を再利用できるため、優れた環境保護性を備える。
（２）コスト削減：製紙の原料は、天然植物から採取するもので、大量の樹木伐採を必要とせず、経済的価値のない農作物植物繊維を再利用できるため、多大な人力をつかって後続する処理作業を行なわずにすみ、コストを削減する。
【図面の簡単な説明】
【０００６】
【図１】本考案を組み合わせた状態の立体図である。
【図２】本考案を分解した状態の立体図である。
【図３】本考案の一部を拡大した側面断面図である。
【図４】本考案の加工の流れを示す図である。
【図５】本考案の加工プロセスを示す図である。
【考案を実施するための形態】
【０００７】
本考案の構造、特徴、及びその他の目的をご理解いただくために、次に、図面を参照とした好ましい実施例を用いた詳細説明を行う。ただし、本図例によって開示する実施例は、説明に用いるものであり、特許出願上の唯一の制限ではないことをここに明記する。
【実施例】
【０００８】
図１乃至図３には、本考案の農作物及び植物繊維を用いた再生紙を組み合わせた状態の立体図と、分解した状態の立体図と、一部を拡大した側面断面図を示す。それは、農作物植物繊維体１０と植物粘着繊維体２０とを備える。
【０００９】
該農作物植物繊維体１０には、複数の糸状繊維部材１１及び／または複数のかす状繊維部材１２を含み、該農作物植物繊維体１０の糸状繊維部材１１またはかす状繊維部材１２は、サトウキビの絞りかす、マコモダケ殼、稲、バナナの細切（バナナの切り株）、茶がら、トウモロコシの葉、オレンジの皮、ピーナッツの殻、パッションフルーツの皮、小麦、コーヒーのかす、玉ねぎの皮等より採取する。
【００１０】
該植物粘着繊維体２０には、複数の膠質液結合部材２１を備え、植物粘着繊維体２０の膠質液結合部材２１は、オクラ、アロエ、パキラ等より採取する。該膠質液結合部材２１は、農作物植物繊維体１０の複数の糸状繊維部材１１と複数のかす状繊維部材１２と相互に結合する。
【００１１】
前述構造を組み合わせることにより、本考案の農作物及び植物繊維を用いた再生紙が完成される。
【００１２】
図３には、本考案の農作物及び植物繊維を用いた再生紙の一部を拡大した側面断面図を示す。その内、農作物植物繊維体１０の複数の糸状繊維部材１１と複数のかす状繊維部材１２は、植物粘着繊維体２０の膠質液結合部材２１と結合し、植物粘着繊維体２０の膠質液結合部材２１を懸濁剤として、農作物植物繊維体１０の糸状繊維部材１１またはかす状繊維部材１２を相互に粘着結合させる。該製紙の原料は、天然植物とし、大量の樹木伐採をせず、経済的価値のない農作物植物繊維を再利用し、環境保護性を高め、コスト削減する効果を達成する。
【００１３】
図４および図５には、本考案の農作物及び植物繊維を用いた再生紙の加工の流れとプロセスを示す。該加工の流れ３０には次のプロセスを含む。
【００１４】
原料採取３１：農作物や植物の廃棄物であるサトウキビの絞りかす、マコモダケの殼、稲、バナナの細切（バナナの切り株）、茶がら、トウモロコシの葉、オレンジの皮、ピーナッツの殻、パッションフルーツの皮、小麦、コーヒーのかす、玉ねぎの皮等を収集し、農作物植物繊維体の糸状繊維とかす状繊維を採取し、オクラ、アロエ、パキラより植物粘着繊維体中の膠質液結合部材を採取し懸濁剤とする。
【００１５】
蒸煮３２：農作物植物繊維体の糸状繊維及びかす状繊維と、植物粘着繊維体中の膠質液結合部材とを、高温で蒸煮し、軟化を加速させ、繊維を分離する。
【００１６】
濃い目の液体製作３３：採取した農作物植物繊維体の糸状繊維及びかす状繊維と、植物粘着繊維体中の膠質液結合部材とを混合し、どろっとした混合液体を作る。
【００１７】
洗浄３４：農作物植物繊維体と植物粘着繊維体により作ったパルプを十分に洗浄し、粗い繊維束や製造過程で混入した泥や砂、灰、鉄線、プラスチック等の雑物を取り除き、篩い分けと浄化によって前記雑質を除去する。
【００１８】
紙漉き３５：造紙工具を用いて洗浄後の収納タンクにおいて、農作物植物繊維体と植物粘着繊維体とを取得し、並びにそれらを混合し、さらに、それを揺らして、造紙工具上の農作物植物繊維体と植物粘着繊維体とを沈殿させて、交互粘着結合させる。
【００１９】
紙の加圧３６：造紙工具上で混合結合した農作物植物繊維体と植物粘着繊維体とを加圧して水分を除去する。
【００２０】
紙の乾燥３７：水分を除去した農作物植物繊維体と植物粘着繊維体との結合物を熱気によって乾燥させる。
【００２１】
用紙３８：乾燥後の農作物植物繊維体と植物粘着繊維体との結合物を、造紙工具から取りはずすと、用紙となる。
【００２２】
前述の加工の流れ３０を経て完成した本考案の農作物及び植物繊維を用いた再生紙は、優れた環境保護性を備え、コストを削減するものである。
【００２３】
本考案は、下記の効果を有する。
（１）優れた環境保護性：製紙の原料は、天然植物から採取するもので、大量の樹木伐採を必要とせず、経済的価値のない農作物植物繊維を再利用できるため、優れた環境保護性を備える。
（２）コスト削減：製紙の原料は、天然植物から採取するもので、大量の樹木伐採を必要とせず、経済的価値のない農作物植物繊維を再利用できるため、多大な人力をつかって後続する処理作業を行なわずにすみ、コストを削減する。
【００２４】
上述したとおり、本考案は、確実に、前述の諸効果及び目的を達成する。よって、実用新案出願用件を満たすものであるため、法律に基づき出願を行う。
【符号の説明】
【００２５】
１０ 農作物植物繊維体
１１ 糸状繊維部材
１２ かす状繊維部材
２０ 植物粘着繊維体
２１ 膠質液結合部材
３０ 加工の流れ
３１ 原料採取
３２ 蒸煮
３３ 濃い液体の製作
３４ 洗浄
３５ 紙漉き
３６ 紙の加圧
３７ 紙の乾燥
３８  用紙
【図１】
0003170124.tif 000003
【図２】
0003170124.tif 000004
【図３】
0003170124.tif 000005
【図４】
0003170124.tif 000006
【図５】
0003170124.tif 000007